(57)【要約】【課題】簡易な制御で、可能な限り自然光に近い状態のまま光源色を変化させ得る照明光源を提供すること。【解決手段】照明光源は、ＣＩＥ１９３１色度図上における第１の点（Ｐ１）に対応する第１の光源色で発光する白色ＬＥＤと、第２の点（Ｐ２）に対応する第２の光源色で発光する橙色ＬＥＤとを有し、第１の光源色と第２の光源色とが混色された光源色を呈するようにした。ここで、第１の点（Ｐ１）は、黒体軌跡（ＰＬ）上にほぼ位置する。第２の点（Ｐ２）は、当該第２の点（Ｐ２）と前記第１の点（Ｐ１）を結ぶ線分（Ｌ１）が、第１の点（Ｐ１）を通る前記黒体軌跡（ＰＬ）の法線（Ｌ２）に対応する接線（Ｌ３）とほぼ平行となる関係となるようなところに位置する。【選択図】図１
2008505433.tif 000002
【特許請求の範囲】
【請求項１】
ＣＩＥ１９３１色度図上における第１の点に対応する第１の光源色で発光する第１の光源と、
前記色度図上における第２の点に対応する第２の光源色で発光し、給電電力の大きさによって発光強度が変化する第２の光源とを有し、
前記第１の点は、前記色度図における黒体軌跡上にほぼ位置し、
前記第２の点は、当該第２の点と前記第１の点を結ぶ線分が、第１の点を通る前記黒体軌跡の法線に対応する接線とほぼ平行となる関係となるようなところに位置し、
前記第１の光源色と前記第２の光源色が混色された光源色を呈する照明光源。
【請求項２】
前記第２の光源は、少なくとも、第１のピーク波長を有する第１の発光素子と第１のピーク波長とは異なる第２のピーク波長を有する第２の発光素子とを含み、両発光素子が電気的に直列または並列に接続されている請求項１に記載の照明光源。
【請求項３】
前記照明光源は、さらに、
前記色度図上における第３の点に対応する第３の光源色で発光し、給電電力の大きさによって発光強度が変化する第３の光源を有し、
前記第３の点は、前記第１の点を挟んで前記第２の点と相対する位置であって、当該第３の点と前記第１の点を結ぶ線分が、前記接線とほぼ平行となる関係となるようなところに位置する請求項２に記載の照明光源。
【請求項４】
前記第１の光源は、近紫外光を発する近紫外発光素子と前記近紫外光を青色光、緑色光、黄色光、赤色光のそれぞれに変換する青色蛍光体、緑色蛍光体、黄色蛍光体、赤色蛍光体を含む請求項３に記載の照明光源。
【請求項５】
前記第１の発光素子、前記第２の発光素子、および前記近紫外発光素子は、ＬＥＤである請求項４に記載の照明光源。
【請求項６】
前記照明光源は、さらに、
前記色度図上における第３の点に対応する第３の光源色で発光し、給電電力の大きさによって発光強度が変化する第３の光源を有し、
前記第３の点は、前記第１の点を挟んで前記第２の点と相対する位置であって、当該第３の点と前記第１の点を結ぶ線分が、前記接線とほぼ平行となる関係となるようなところに位置する請求項１に記載の照明光源。
【請求項７】
前記第１の光源は、近紫外光を発する近紫外発光素子と前記近紫外光を青色光、緑色光、黄色光、赤色光のそれぞれに変換する青色蛍光体、緑色蛍光体、黄色蛍光体、赤色蛍光体を含む請求項６に記載の照明光源。
【請求項８】
前記近紫外発光素子は、ＬＥＤである請求項７に記載の照明光源。
【請求項９】
前記第１の光源は、青色光を発する青色発光素子と前記青色光を緑色光に変換する緑色蛍光体と前記青色光を赤色光に変換する赤色蛍光体とを含む請求項１に記載の照明光源。
【請求項１０】
前記青色発光素子は、ＬＥＤである請求項９に記載の照明光源。
【請求項１１】
前記第１の光源は、近紫外光を発する近紫外発光素子と前記近紫外光を青色光、緑色光、黄色光、赤色光のそれぞれに変換する青色蛍光体、緑色蛍光体、黄色蛍光体、赤色蛍光体を含む請求項１に記載の照明光源。
【請求項１２】
前記近紫外発光素子は、ＬＥＤである請求項１１に記載の照明光源。
【請求項１３】
前記第１の光源は、給電電力の大きさによって発光強度が変化する請求項１に記載の照明光源。
【発明の詳細な説明】
【技術分野】
【０００１】
本発明は、照明光源に関し、特に、光源色（相関色温度）を変化させ得る照明光源に関する。
【背景技術】
【０００２】
近年、一般家庭や職場において、季節や一日の時間帯等その時々の雰囲気に応じ室内照明の光源色（相関色温度）を変化させたいといった要請がある。例えば、季節であれば、夏季は白っぽい寒色系にしたり、冬季は赤みがかった暖色系にしたり、時間帯であれば、仕事中は作業能率が向上すると思われる昼光色、休憩中はくつろぎやすい電球色などに変化させるといった具合である。
【０００３】
この場合、室内照明であることを考慮すれば、光源色はできるだけ自然な色を維持したまま変化させることが好ましい。すなわち、光源色がＣＩＥ１９３１色度図上の黒体軌跡またはこの近傍をたどるように変化させることが好ましい。
従来、室内照明の光源といえば蛍光ランプが主流であるが、蛍光ランプは複数種類の蛍光体の混合割合でその光源色が決まってしまう。そのため、仮に、蛍光ランプによって室内照明の光源色を変化させようとした場合、その都度、所望の光源色を有する蛍光ランプに取り替えなければならず、到底、その煩に耐えない。
【０００４】
そこで、近年、高効率の青色ＬＥＤの実現により、赤、緑、青の３原色が揃ったＬＥＤが注目されている。すなわち、赤色ＬＥＤ、緑色ＬＥＤ、青色ＬＥＤの３種類のＬＥＤを各々複数個、密接して配置し、赤色光、緑色光、青色光の混色によって所望色の光源色を実現するのである（例えば、特許文献１を参照。）。この際、赤色ＬＥＤ、緑色ＬＥＤ、青色ＬＥＤの光源色は前記色度図上では、黒体軌跡を取り囲む三角形の頂点に位置することとなるので、各色ＬＥＤ間の相対発光強度（各ＬＥＤへの給電電力）を調整することによって、光源色を黒体軌跡上若しくはこの近傍に沿って変化させることが可能である。すなわち、一つの光源で光源色を自然光に近い状態を維持したまま種々に変化させることができるのである。
【特許文献１】特開２００４−６２５３号公報
【発明の開示】
【発明が解決しようとする課題】
【０００５】
しかしながら、上記した赤色ＬＥＤ、緑色ＬＥＤ、青色ＬＥＤによる場合には、３色のバランス、すなわち、各ＬＥＤへの給電電力のバランスを微妙に制御しなければならない。そのため、コストの高い制御システムが必要になってしまう。
上記した課題に鑑み、本発明は、もっと簡易な制御で光源色を自然光に近い状態のまま変化させ得る照明光源を提供することを目的とする。
【課題を解決するための手段】
【０００６】
本発明に係る照明光源は、ＣＩＥ１９３１色度図上における第１の点に対応する第１の光源色で発光する第１の光源と、前記色度図上における第２の点に対応する第２の光源色で発光し、給電電力の大きさによって発光強度が変化する第２の光源とを有し、前記第１の点は、前記色度図における黒体軌跡上にほぼ位置し、前記第２の点は、当該第２の点と前記第１の点を結ぶ線分が、第１の点を通る前記黒体軌跡の法線に対応する接線とほぼ平行となる関係となるようなところに位置し、前記第１の光源色と前記第２の光源色が混色された光源色を呈する。
【発明の効果】
【０００７】
上記構成によれば、第２の光源に対する給電電力の大きさを変化させるだけで、照明光源の光源色が、前記線分上の任意の点に対応する光源色に変化する。すなわち、色度図上の黒体軌跡から大きくはずれることなく、換言すれば、自然光に近い状態を維持したまま光源色を変化させることが可能となる。
【発明を実施するための最良の形態】
【０００８】
以下、本発明に係る照明光源の実施の形態について図面を参照しながら説明する。
先ず、実施の形態に係る照明光源の具体的な説明に入る前に、本発明の基本的な考えについて、図１を参照しながら説明する。図１（ａ）は、ＣＩＥ１９３１色度図（以下、単に「色度図」といった場合には、この色度図を指す。）である。
本件の照明光源は、基本的に、色度図上の第１の点Ｐ１に対応する第１の光源色で発光する第１の光源と第２の点Ｐ２に対応する第２の光源色で発光する第２の光源とを有し、第１の光源のみを発光させて第１の光源色を得たり、第１の光源と第２の光源を同時に発光させ、第１の光源色と第２の光源色の合成された光源色を得たりするものである。
【０００９】
第１の点Ｐ１は、黒体軌跡ＰＬ上にほぼ位置する。ここで、「ほぼ位置する」とは、ＣＩＥ１９６０ｕｖ色度図上において黒体軌跡からの距離の１０００倍をｄｕｖ（色度偏差）としたとき、第１の点Ｐ１が、−５≦ｄｕｖ≦１０の範囲に位置することを意味する（なお、ｄｕｖは、点Ｐ１がｙ軸方向黒体軌跡の上側にある場合は正の値をとり、下側にある場合は負の値をとる。）。この範囲が、日本工業規格ＪＩＳ：Ｚ９１１２において、代表的な照明光源である蛍光ランプで定められている５種類の光源色（昼光色、昼白色、白色、温白色、電球色）の色度範囲の内、黒体軌跡からの隔たりを規定する範囲とほぼ一致するからである。すなわち、本件の照明光源は、蛍光ランプの代替光源として用いることを主眼の一つとしている。因みに、図１（ａ）中の５個の四辺形はそれぞれ、上記ＪＩＳ規格で定められている昼光色Ｄ、昼白色Ｎ、白色Ｗ、温白色ＷＷ、電球色Ｌの色度範囲を示している。また、当該５つの光源色全体における相関色温度の範囲の下限は２６００Ｋであり、上限は７１００Ｋである。本件の照明光源は、一応この範囲内で光源色の相関色温度を変化させることを念頭においている。
【００１０】
次に、第２の点Ｐ２の存在位置を、図１（ｂ）も参照しながら説明する。図１（ｂ）は、第１の点Ｐ１およびその付近の拡大図である。第２の点Ｐ２は、当該第２の点Ｐ２と前記第１の点Ｐ１を結ぶ線分Ｌ１が、第１の点Ｐを通る前記黒体軌跡ＰＬの法線Ｌ２に対応する接線Ｌ３とほぼ平行となる関係となるようなところに位置する。
ここで、「線分Ｌ１が、…接線Ｌ３とほぼ平行となるような」の趣旨について説明する。第１の点Ｐ１に対応する第１の光源色と第２の点に対応する第２の光源色の２色を混ぜると、その結果できる色は、この２色の色度座標を結ぶ線分Ｌ１上のどこかの座標（点Ｐ１・２）に対応した色になる（混ぜる比率によって変わる）。本実施の形態では、第１の光源は必ず発光させ、第１の光源に対する第２の光源の発光強度（相対強度）を変化させることによって所望の光源色（色温度）を得るものである。このとき、第２の光源の第１の光源に対する相対強度を強くしていったときに、点Ｐ１・２をできる限り長い区間において−５≦ｄｕｖ≦１０の範囲に入れようとするためには、線分Ｌ１は、黒体軌跡ＰＬに沿っている必要がある。「線分Ｌ１が、…接線Ｌ３とほぼ平行となるような」という意味は、点Ｐ１・２が−５≦ｄｕｖ≦１０の範囲に入るように、線分Ｌ１を接線Ｌ３に沿わせるという意味である。換言すると、線分Ｌ１は、第２の光源の第１の光源に対する相対強度を変化させる範囲において、点Ｐ１・２が−５≦ｄｕｖ≦１０の範囲に入る程度に、接線Ｌ３と平行であれば（おおよそ同じ方向に向いていれば）よいのである。「ほぼ平行」としたのは、このような趣旨からである。
【００１１】
また、「ほぼ平行」とした上記趣旨から、線分Ｌ１が黒体軌跡ＰＬと交差する場合もあり得る。すなわち、以下の場合もあり得る。（i）第１の点Ｐ１が黒体軌跡ＰＬ上に在って、線分Ｌ１が黒体軌跡ＰＬと１回交差する場合、（ii）第１の点Ｐ１が弓なりの黒体軌跡ＰＬの内側に在って、線分Ｌ１が黒体軌跡ＰＬと１回交差する場合、（iii）第１の点Ｐ１が弓なりの黒体軌跡ＰＬの外側にあって、線分Ｌ１が黒体軌跡ＰＬと２回交差する場合、および（iv）第１の点Ｐ１が弓なりの黒体軌跡ＰＬの外側にあって、線分Ｌ１が黒体軌跡ＰＬと接する場合である。
【００１２】
図２、図３は、上記のようにして、第２の光源の第１の光源に対する相対強度を変化させた際の光源色（相関色温度Ｔｃ、色度偏差ｄｕｖ）と平均演色評価数Ｒａとの関係を示すグラフである。グラフ中の括弧（  ）で囲んだ数字は、後述する実施例の番号に対応している。図２、３は、各実施例の説明において適宜参照することとする。
（実施の形態１）
図４（ａ）は実施の形態１に係る照明光源２の概略構成を示す平面図であり、図４（ｂ）は同正面図である。
【００１３】
照明光源２は、多層プリント配線板４（以下、単に「プリント配線板４」という。）と当該プリント配線板４に実装された、発光素子である白色ＬＥＤ６と橙色ＬＥＤ８を有する。白色ＬＥＤ６は１２個、橙色ＬＥＤ８は７個実装されている。両ＬＥＤ６、８はいずれもいわゆる砲弾型のＬＥＤであって、白色ＬＥＤ６と橙色ＬＥＤ８は、プリント配線板４内のプリント配線（不図示）によって、図４（ｃ）の回路図に示すように電気的に接続されている。すなわち、１２個の白色ＬＥＤ６が直列に接続され（直列に接続された１２個の白色ＬＥＤ６を「白色ＬＥＤ列１０」と称することとする。）、７個の橙色ＬＥＤ８が直列に接続されている（直列に接続された７個の橙色ＬＥＤ８を「橙色ＬＥＤ列１２」と称することとする。）。実施の形態１では、前記第１の光源を白色ＬＥＤ列１０で構成し、前記第２の光源を橙色ＬＥＤ列１２で構成することとした。
【００１４】
また、白色ＬＥＤ列１０における高電位側末端の白色ＬＥＤ６Ａのアノード電極は、プリント配線板４に搭載された制限抵抗１４（図４（ａ）では不図示）を介して、給電端子１６と接続されていて、橙色ＬＥＤ列１２における高電位側末端の橙色ＬＥＤ８Ａのアノード電極は、プリント配線板４に搭載された制限抵抗１８（図４（ａ）では不図示）を介して、給電端子２０と接続されている。さらに、白色ＬＥＤ列１０における低電位側末端の白色ＬＥＤ６Ｂのカソード電極と、橙色ＬＥＤ列１２における低電位側末端の橙色ＬＥＤ８Ｂのカソード電極とが、プリント配線板４内のプリント配線（不図示）を介して共通端子２２と接続されている。
【００１５】
上記の構成からなる照明光源２は、公知の可変電源装置２４によって駆動される。すなわち、可変電源装置２４の可変電源部２４Ａによって給電端子１６への、可変電源部２４Ｂによって給電端子２０への給電電力を制御することにより、一方のＬＥＤ列のみを点灯させたり、両方のＬＥＤ列を同時に点灯させたり、あるいは、同時に点灯させた際の両ＬＥＤ間の相対発光強度を変化させることができる。両方のＬＥＤ列を同時に点灯させた際には、図４（ａ）に示すように、各白色ＬＥＤ６と各橙色ＬＥＤ８は、密接して配されており、かつ、白色ＬＥＤ６と橙色ＬＥＤ８との間の配列がバランスよくなされているので、照明光源２は、各白色ＬＥＤ６の発する白色光と各橙色ＬＥＤ８の発する橙色光とがよく混ざり合った光源色の光を発することとなる。なお、ＬＥＤの駆動電流は、ＰＷＭ（パルス幅変調）制御することが好ましい。すなわち、可変電源装置２４には、ＰＷＭ制御可能なものを用いることが好ましい。ＰＷＭ制御によれば、給電電力を変化させた際のＬＥＤの波長シフトが抑えられるからである。
【００１６】
白色ＬＥＤ６は、後述するように、青色発光する青色ＬＥＤチップまたは近紫外発光する近紫外ＬＥＤチップと所定の蛍光体とがパッケージされてなり、チップ自身の発光色と、蛍光体での変換後の発光色との混色によって白色光を発するものである。また、橙色ＬＥＤ８は、橙色発光する橙色ＬＥＤチップがパッケージされてなり、当該橙色ＬＥＤからの橙色光がそのまま発せられるものである。本実施の形態では、上記青色ＬＥＤチップおよび紫外ＬＥＤチップにＧａＩｎＮ系のものを、上記橙色ＬＥＤチップにＡｌＧａＩｎＰ系のものを用いることとした。
【００１７】
白色ＬＥＤ６に関し、青色ＬＥＤチップに対する蛍光体としては、青色光を緑色光に変換する緑色蛍光体、および青色光を赤色光に変換する赤色蛍光体が用いられる。本実施の形態において、上記各色蛍光体は、以下に記す化学式で表されるものが用いられる。緑色蛍光体…（Ｓｒ，Ｂａ，Ｃａ）２ＳｉＯ４：Ｅｕ２＋[略称：緑ＳＳＹ]、赤色蛍光体…Ｓｒ２Ｓｉ５Ｎ８：Ｅｕ２＋[略称：赤ＮＳ]。
【００１８】
また、近紫外ＬＥＤチップに対する蛍光体としては、近紫外光を青色光に変換する青色蛍光体、近紫外光を緑色光に変換する緑色蛍光体、近紫外光を黄色光に変換する黄色蛍光体、および近紫外光を赤色光に変換する赤色蛍光体が用いられる。本実施の形態において上記各色蛍光体は、以下に記す化学式で表されるものが用いられる。緑色蛍光体…ＢａＭｇＡｌ１０Ｏ１７：Ｅｕ２＋，Ｍｎ２＋[略称：緑ＢＴＭ]、赤色蛍光体…Ｓｒ２Ｓｉ５Ｎ８：Ｅｕ２＋[略称：赤ＮＳ]、青色蛍光体…（Ｂａ，Ｓｒ）２ＭｇＡｌ１０Ｏ１７：Ｅｕ２＋[略称：青ＢＡＴ]、黄色蛍光体…（Ｓｒ，Ｂａ，Ｃａ）２ＳｉＯ４：Ｅｕ２＋[略称：黄ＳＳＹ]。
【００１９】
以下、上記実施の形態１の範疇に入る具体的な実施例について説明する。
（実施例１）
実施例１に用いる青色ＬＥＤチップ、緑色蛍光体（緑ＳＳＹ）、赤色蛍光体（赤ＮＳ）、および橙色ＬＥＤチップから発せられる各光の分光分布図を図５に示す。なお、図５は、各光のピーク高さを「１」に揃えて描いたものである。図５に示すように、青色ＬＥＤチップには、主発光ピーク波長が４６０ｎｍであるものが用いられる。橙色ＬＥＤチップには、主発光ピーク波長が５８５ｎｍであるものが用いられる。緑色蛍光体（緑ＳＳＹ）から発せられる緑色光と赤色蛍光体（赤ＮＳ）から発せられる赤色光の分光分布は、図５に示す通りである。
【００２０】
実施例１に係る照明光源２において、白色ＬＥＤ列１０（図４）のみを点灯させた際の、青色光（青色ＬＥＤチップ）、緑色光（緑色蛍光体）、赤色光（赤色蛍光体）の相対強度は、図６（ａ）に示す通りであり、これによって得られる白色光の相関色温度Ｔｃは６８７２Ｋ（色度偏差ｄｕｖ＝１．２）で、平均演色評価数Ｒａは９１である。ここで、相対強度とは、合成する各色光間におけるピーク波長の高さの比である。なお、図中の（ｘ，ｙ）は当該色度図（ＣＩＥ１９３１色度図）における色度座標を示し、（ｕ，ｖ）はＣＩＥ１９６０ｕｖ色度図（不図示）における色度座標を示す。
【００２１】
第１の光源である白色ＬＥＤ列１０（図４）のみを点灯させた際の色度図上における位置を白抜きの丸「○」で示す。この「○」で示すのが、上記第１の点に相当する。
また、仮に、第２の光源である橙色ＬＥＤ列１２（図４）のみを点灯させた際の色度図上における位置を黒塗りの丸「●」で示す。この「●」で示すのが、上記第２の点に相当する。
【００２２】
白色ＬＥＤ列１０と橙色ＬＥＤ列１２を同時に点灯させた際の、青色光（青色ＬＥＤチップ）、緑色光（緑色蛍光体）、橙色光（橙色ＬＥＤ）、赤色光（赤色蛍光体）の相対強度は、図６（ｂ）に示す通りであり、これによって得られる白色光の相関色温度Ｔｃは４１８５Ｋ（色度偏差ｄｕｖ＝１．０）で、平均演色評価数Ｒａは５１である。このときの、色度図上における位置を白抜きの四角「◇」で示す。照明光源２全体としては、この「◇」で示す座標位置に対応する光源色（以下、白色ＬＥＤ列１０と橙色ＬＥＤ列１２を同時に点灯させたときに得られる光源色を「合成色」と称することとする。）で発光することとなる。
【００２３】
なお、言うまでもなく、橙色ＬＥＤ列１２の白色ＬＥＤ列１０に対する相対強度を任意に変化させることによって、図２の(1)に示すように広範囲に合成色を変化させることが可能である。この場合、相関色温度Ｔｃが６８７２≧Ｔｃ≧３１００の範囲において、ｄｕｖは−５≦ｄｕｖ≦１０の範囲に収まる。また、相関色温度Ｔｃが５６００≦Ｔｃ≦６８７２の範囲において、平均演色評価数Ｒａは８０以上となり、６６５０≦Ｔｃ≦６８７２の範囲において平均演色評価数Ｒａは９０以上となる。
【００２４】
以下、各実施例の説明で用いる色度図において、第１の光源（白色ＬＥＤ列）のみを点灯させたときの位置を白抜きの丸「○」で、仮に第２の光源（橙色ＬＥＤ列）のみを点灯させたときの位置を黒塗りの丸「●」で、第１および第２の光源を同時に点灯させたときの位置を四角「◇」で示すこととする。
（実施例２）
実施例２は、白色ＬＥＤを青色ＬＥＤチップではなく近紫外ＬＥＤチップで構成した点が実施例１と異なっている以外は、基本的に実施例１と同様である。
【００２５】
実施例２に用いる近紫外ＬＥＤチップ、緑色蛍光体（緑ＢＴＭ）、赤色蛍光体（赤ＮＳ）、青色蛍光体（青ＢＡＴ）、黄色蛍光体（黄ＳＳＹ）、および橙色ＬＥＤチップから発せられる各光の分光分布図を図７に示す。なお、図７は、図５と同様、各光のピーク高さを「１」に揃えて描いたものである。図７に示すように、近紫外ＬＥＤチップには、主発光ピーク波長が３９５ｎｍであるものが用いられる。橙色ＬＥＤチップには、実施例１のものと同じ主発光ピーク波長が５８５ｎｍであるものが用いられる。緑色蛍光体（緑ＢＴＭ）から発せられる緑色光、赤色蛍光体（赤ＮＳ）から発せられる赤色光、青色蛍光体（青ＢＡＴ）から発せられる青色光、および黄色蛍光体（黄ＳＳＹ）から発せられる黄色光の分光分布は、図７に示す通りである。
【００２６】
実施例２に係る照明光源２において、白色ＬＥＤ列１０（図４）のみを点灯させた際の、青色光（青色蛍光体）、緑色光（緑色蛍光体）、黄色光（黄色蛍光体）、赤色光（赤色蛍光体）、近紫外光（近紫外ＬＥＤチップ）の相対強度は、図８（ａ）に示す通りであり、これによって得られる白色光の相関色温度Ｔｃは７０１７Ｋ（色度偏差ｄｕｖ＝０．７）で、平均演色評価数Ｒａは９１である。
【００２７】
白色ＬＥＤ列１０と橙色ＬＥＤ列１２を同時に点灯させた際の、青色光（青色蛍光体）、緑色光（緑色蛍光体）、黄色光（黄色蛍光体）、赤色光（赤色蛍光体）、近紫外光（近紫外ＬＥＤチップ）、橙色光（橙色ＬＥＤ）の相対強度は、図８（ｂ）に示す通りであり、これによって得られる白色光の相関色温度Ｔｃは５２９１Ｋ（色度偏差ｄｕｖ＝−０．９）で、平均演色評価数Ｒａは８０である。
【００２８】
また、実施例１の場合と同様、橙色ＬＥＤ列１２の白色ＬＥＤ列１０に対する相対強度を任意に変化させることによって、図３の(2)に示すように広範囲に合成色を変化させることが可能であることは勿論である。この場合、相関色温度Ｔｃが７１０７≧Ｔｃ≧３０７０の範囲において、ｄｕｖは−５≦ｄｕｖ≦１０の範囲に収まる。また、相関色温度Ｔｃが５２８０≦Ｔｃ≦７０１７の範囲において、平均演色評価数Ｒａは８０以上となり、５９５０≦Ｔｃ≦７０１７の範囲において平均演色評価数Ｒａは９０以上となる。
【００２９】
以上、説明したように、実施の形態１に係る照明光源２によれば、白色ＬＥＤ列１０と橙色ＬＥＤ列１２の二つの光源の給電電力（２系統の給電電力）を制御するだけで光源色（相関色温度）を変化させることができるので、従来のＲ，Ｇ、Ｂの各ＬＥＤの給電電力（３系統の給電電力）を制御しなければならないものと比較して、簡易な制御となる。しかも、その相関色温度は上記の範囲に渡って変化可能であり、この間の色度偏差も上記範囲に収まる。
（実施の形態２）
実施の形態２は、主に第２の光源（橙色ＬＥＤ列）の構成が異なる以外は実施の形態１と基本的に同じ構成である。したがって、共通部分には同じ符号を付してその説明は省略するか簡単に言及するにとどめ、異なる部分を中心に説明する。
【００３０】
実施の形態１では、第２の光源を１種類の橙色ＬＥＤ８（図４）で構成することとした。これに対して、実施の形態２では、第２の光源を２種類の橙色ＬＥＤで構成している。２種類の橙色ＬＥＤの違いは、主発光ピーク波長の違いにある。
図９（ａ）は実施の形態２に係る照明光源３２の概略構成を示す平面図であり、図９（ｂ）は同正面図である。
【００３１】
照明光源３２は、多層プリント配線板３４（以下、単に「プリント配線板３４」と言う。）を有し、当該プリント配線板３４に、実施の形態１と同様な並びで実装された複数個の砲弾型ＬＥＤを有する。
これらＬＥＤの内、符号３６で示す６個のＬＥＤが第１の波長をピーク波長に有する橙色ＬＥＤであり、符号３８で示す４個のＬＥＤが前記第１の波長よりも短い第２の波長を有する橙色ＬＥＤである。第１および第２の波長の具体例は、後述する実施例の中で挙げることとする。なお、白色ＬＥＤ６は、使用個数は減っているが、実施の形態１と同じものである。
【００３２】
白色ＬＥＤ６、橙色ＬＥＤ３６、および橙色ＬＥＤ３８は、プリント配線板３４内のプリント配線（不図示）によって、図９（ｃ）の回路図に示すように電気的に接続されている。すなわち、９個の白色ＬＥＤ６が直列に接続されている（直列に接続された９個の白色ＬＥＤ６を「白色ＬＥＤ列４０」と称することとする。）。また、６個の橙色ＬＥＤ３６が直列に接続され第１のＬＥＤ列４２を成し、４個の橙色ＬＥＤ３８が直列に接続され第２のＬＥＤ列４４を成し、前記両ＬＥＤ列４２、４４同士がそれぞれ制限抵抗４６、４８を経て並列に接続されている（以下、並列接続された第１のＬＥＤ列４２と第２のＬＥＤ列４４を「橙色ＬＥＤ列５０」と称する。）。実施の形態２では、第１の光源を白色ＬＥＤ列４０で構成し、前記第２の光源を橙色ＬＥＤ列５０で構成することとした。
【００３３】
また、第１のＬＥＤ列４２が発する光の発光強度（ピーク波長高さ）と第２のＬＥＤ列４４が発する光の発光強度（ピーク波長の高さ）がほぼ等しくなるように、両制限抵抗４６，４８間の抵抗比が設定されている。これにより、橙色ＬＥＤ列５０においては、色度図上において、第１のＬＥＤ列４２の色度座標と第２のＬＥＤ列４４の色度座標を結ぶ線分のほぼ中点に対応する色度座標に対応する光源色が得られることとなる。
【００３４】
以下、上記実施の形態２の範疇に入る具体例を実施例３〜１３に基づいて説明する。なお、白色ＬＥＤ６として、実施例３〜８では青色ＬＥＤチップによるもの、実施例９〜１３では近紫外ＬＥＤチップによるものをそれぞれ用いている。
（実施例３）
図１０は、実施例３における橙色ＬＥＤ列５０（図９）の分光分布図である。６２５ｎｍのピーク波長が第１のＬＥＤ列４２（図９）の波長成分であり、５６５ｎｍのピーク波長が第２のＬＥＤ列４４（図９）の波長成分である。
【００３５】
図１１（ａ）は、白色ＬＥＤ列４０（図９）のみを点灯させたときの分光分布図であり、図１１（ｂ）は、色度図上の位置等を示している。このときの白色光の相関色温度Ｔｃは７１１２Ｋ（色度偏差ｄｕｖ＝０．３）で、平均演色評価数Ｒａは９１である。
図１２（ａ）は、白色ＬＥＤ列４０と橙色ＬＥＤ列５０を同時に点灯させた際の分光分布図であり、図１２（ｂ）は、色度図上の位置等を示している。このときの白色光の相関色温度Ｔｃは４０７１Ｋ（色度偏差ｄｕｖ＝０．９）で、平均演色評価数Ｒａは８５である。
【００３６】
また、橙色ＬＥＤ列５０の白色ＬＥＤ列４０に対する相対強度を任意に変化させることによって、図２の(3)に示すように広範囲に合成色を変化させることが可能である。この場合、相関色温度Ｔｃが７１１２≧Ｔｃ≧３１１０の範囲において、ｄｕｖは−５≦ｄｕｖ≦１０の範囲に収まる。また、相関色温度Ｔｃが３６５０≦Ｔｃ≦７１１２の範囲において、平均演色評価数Ｒａは８０以上となり、４８６０≦Ｔｃ≦７１１２の範囲において平均演色評価数Ｒａは９０以上となる。
【００３７】
（実施例４）
図１３は、実施例４における橙色ＬＥＤ列５０（図９）の分光分布図である。６２０ｎｍのピーク波長が第１のＬＥＤ列４２（図９）の波長成分であり、５７０ｎｍのピーク波長が第２のＬＥＤ列４４（図９）の波長成分である。
図１４（ａ）は、白色ＬＥＤ列４０（図９）のみを点灯させたときの色度図上の位置等を示している。このときの白色光の相関色温度Ｔｃは７１１２Ｋ（色度偏差ｄｕｖ＝０．３）で、平均演色評価数Ｒａは９１である。
【００３８】
図１４（ｂ）は、白色ＬＥＤ列４０と橙色ＬＥＤ列５０を同時に点灯させた際の色度図上の位置等を示している。このときの白色光の相関色温度Ｔｃは４２３４Ｋ（色度偏差ｄｕｖ＝−４．５）で、平均演色評価数Ｒａは８３である。
また、橙色ＬＥＤ列５０の白色ＬＥＤ列４０に対する相対強度を任意に変化させることによって、図２の(4)に示すように広範囲に合成色を変化させることが可能である。この場合、相関色温度Ｔｃが７１１２≧Ｔｃ≧２５５０の範囲において、ｄｕｖは−５≦ｄｕｖ≦１０の範囲に収まる。また、相関色温度Ｔｃが３８７０≦Ｔｃ≦７１１２の範囲において、平均演色評価数Ｒａは８０以上となり、５４５０≦Ｔｃ≦７１１２の範囲において平均演色評価数Ｒａは９０以上となる。
【００３９】
（実施例５）
図１５は、実施例５における橙色ＬＥＤ列５０（図９）の分光分布図である。６１５ｎｍのピーク波長が第１のＬＥＤ列４２（図９）の波長成分であり、５７５ｎｍのピーク波長が第２のＬＥＤ列４４（図９）の波長成分である。
図１６（ａ）は、白色ＬＥＤ列４０（図９）のみを点灯させたときの色度図上の位置等を示している。このときの白色光の相関色温度Ｔｃは６９５０Ｋ（色度偏差ｄｕｖ＝４．５）で、平均演色評価数Ｒａは９１である。
【００４０】
図１６（ｂ）は、白色ＬＥＤ列４０と橙色ＬＥＤ列５０を同時に点灯させた際の色度図上の位置等を示している。このときの白色光の相関色温度Ｔｃは４４５１Ｋ（色度偏差ｄｕｖ＝−４．２）で、平均演色評価数Ｒａは８１である。
また、橙色ＬＥＤ列５０の白色ＬＥＤ列４０に対する相対強度を任意に変化させることによって、図２の(5)に示すように広範囲に合成色を変化させることが可能である。この場合、相関色温度Ｔｃが６９５０≧Ｔｃ≧４０２０の範囲において、ｄｕｖは−５≦ｄｕｖ≦１０の範囲に収まる。また、相関色温度Ｔｃが４５００≦Ｔｃ≦６９５０の範囲において、平均演色評価数Ｒａは８０以上となり、６３００≦Ｔｃ≦６９５０の範囲において平均演色評価数Ｒａは９０以上となる。
【００４１】
（実施例６）
上記実施例３〜５では、図９に示す、第１のＬＥＤ列４２が発する光の発光強度（ピーク波長高さ）と第２のＬＥＤ列４４が発する光の発光強度（ピーク波長の高さ）がほぼ等しくなるように、両制限抵抗４６，４８間の抵抗比を設定した。
これに対し、実施例６および後述する実施例７、８では、図９に示す、第１のＬＥＤ列４２の発する光の発光強度（ピーク波長高さ）の方が第２のＬＥＤ列４４が発する光の発光強度（ピーク波長高さ）よりも強くなるように、両制限抵抗４６，４８間の抵抗比が設定されている。これにより、橙色ＬＥＤ列５０の光源色の色度座標上における位置（第２の点）が、５６０〜６２０ｎｍ付近の単色光軌跡に沿って長波長側にシフトすることとなる。その結果、実施例６〜８では、実施例３〜５よりも低色温度領域での調色が可能となる。
【００４２】
なお、第１のＬＥＤ列４２と第２のＬＥＤ列４４の間の発光強度に差をつける方法は、上記したものに限らず、例えば、図９（ｄ）に示すようにしても構わない。すなわち、第１のＬＥＤ列４２と第２のＬＥＤ列４４とを直列に接続するのである。この場合、両ＬＥＤ列を構成するＬＥＤの個数の比によって、両ＬＥＤ列間の発光強度比を設定することが可能となる。
【００４３】
図１７は、実施例６における橙色ＬＥＤ列５０（図９）の分光分布図である。６２５ｎｍのピーク波長が第１のＬＥＤ列４２（図９）の波長成分であり、５６５ｎｍのピーク波長が第２のＬＥＤ列４４（図９）の波長成分である。
図１８（ａ）は、白色ＬＥＤ列４０（図９）のみを点灯させたときの分光分布図であり、図１８（ｂ）は、色度図上の位置等を示している。このときの白色光の相関色温度Ｔｃは４４０２Ｋ（色度偏差ｄｕｖ＝−０．５）で、平均演色評価数Ｒａは９４である。
【００４４】
図１９（ａ）は、白色ＬＥＤ列４０と橙色ＬＥＤ列５０を同時に点灯させた際の分光分布図であり、図１９（ｂ）は、色度図上の位置等を示している。このときの白色光の相関色温度Ｔｃは２９３８Ｋ（色度偏差ｄｕｖ＝０．２）で、平均演色評価数Ｒａは８９である。
また、橙色ＬＥＤ列５０の白色ＬＥＤ列４０に対する相対強度を任意に変化させることによって、図２の(6)に示すように広範囲に合成色を変化させることが可能である。この場合、相関色温度Ｔｃ＝４４０２から低色温度側へ変化させた場合、相関色温度２６００Ｋにおいて、ｄｕｖ＝３．７であり、この色温度範囲であれば、ｄｕｖは−５≦ｄｕｖ≦１０の範囲に収まる。また、相関色温度Ｔｃが２５００≦Ｔｃ≦４４０２の範囲において、平均演色評価数Ｒａは８０以上となり、３０３０≦Ｔｃ≦４４０２の範囲において平均演色評価数Ｒａは９０以上となる。
【００４５】
（実施例７）
図２０は、実施例７における橙色ＬＥＤ列５０（図９）の分光分布図である。６２０ｎｍのピーク波長が第１のＬＥＤ列４２（図９）の波長成分であり、５７０ｎｍのピーク波長が第２のＬＥＤ列（図９）の波長成分である。
図２１（ａ）は、白色ＬＥＤ列４０（図９）のみを点灯させたときの色度図上の位置等を示している。このときの白色光の相関色温度Ｔｃは４４０２Ｋ（色度偏差ｄｕｖ＝−０．５）で、平均演色評価数Ｒａは９４である。
【００４６】
図２１（ｂ）は、白色ＬＥＤ列４０と橙色ＬＥＤ列５０を同時に点灯させた際の色度図上の位置等を示している。このときの白色光の相関色温度Ｔｃは３０２０Ｋ（色度偏差ｄｕｖ＝−５．０）で、平均演色評価数Ｒａは８７である。
また、橙色ＬＥＤ列５０の白色ＬＥＤ列４０に対する相対強度を任意に変化させることによって、図２の(7)に示すように広範囲に合成色を変化させることが可能である。この場合、相関色温度Ｔｃ＝４４０２から低色温度側へ変化させた場合、相関色温度２６００Ｋにおいて、ｄｕｖ＝−３．６であり、この色温度範囲であれば、ｄｕｖは−５≦ｄｕｖ≦１０の範囲に収まる。また、相関色温度Ｔｃが２６００≦Ｔｃ≦４４０２の範囲において、平均演色評価数Ｒａは８０以上となり、３２９０≦Ｔｃ≦４４０２の範囲において平均演色評価数Ｒａは９０以上となる。
【００４７】
（実施例８）
図２２は、実施例８における橙色ＬＥＤ列５０（図９）の分光分布図である。６１５ｎｍのピーク波長が第１のＬＥＤ列４２（図９）の波長成分であり、５７５ｎｍのピーク波長が第２のＬＥＤ列４４（図９）の波長成分である。
図２３（ａ）は、白色ＬＥＤ列４０（図９）のみを点灯させたときの色度図上の位置等を示している。このときの白色光の相関色温度Ｔｃは４４９９Ｋ（色度偏差ｄｕｖ＝３．６）で、平均演色評価数Ｒａは９４である。
【００４８】
図２３（ｂ）は、白色ＬＥＤ列４０と橙色ＬＥＤ列５０を同時に点灯させた際の色度図上の位置等を示している。このときの白色光の相関色温度Ｔｃは３１２２Ｋ（色度偏差ｄｕｖ＝−４．０）で、平均演色評価数Ｒａは８２である。
また、橙色ＬＥＤ列５０の白色ＬＥＤ列４０に対する相対強度を任意に変化させることによって、図２の(8)に示すように広範囲に合成色を変化させることが可能である。この場合、相関色温度Ｔｃ＝４４９９から低色温度側へ変化させた場合、相関色温度２６００Ｋにおいて、ｄｕｖ＝−４．２であり、この色温度範囲であれば、ｄｕｖは−５≦ｄｕｖ≦１０の範囲に収まる。また、相関色温度Ｔｃが３０３０≦Ｔｃ≦４４９９の範囲において、平均演色評価数Ｒａは８０以上となり、３８００≦Ｔｃ≦４４９９の範囲において平均演色評価数Ｒａは９０以上となる。
【００４９】
（実施例９）
実施例９は、白色ＬＥＤ６（図９）として近紫外ＬＥＤチップによるものを用いた以外は、実施例３と同じ構成である。
図２４（ａ）は、白色ＬＥＤ列４０（図９）のみを点灯させたときの分光分布図であり、図２４（ｂ）は、色度図上の位置等を示している。このときの白色光の相関色温度Ｔｃは７０１７Ｋ（色度偏差ｄｕｖ＝０．７）で、平均演色評価数Ｒａは９１である。
【００５０】
図２５（ａ）は、白色ＬＥＤ列４０と橙色ＬＥＤ列５０を同時に点灯させた際の分光分布図であり、図２５（ｂ）は、色度図上の位置等を示している。このときの白色光の相関色温度Ｔｃは４１１４Ｋ（色度偏差ｄｕｖ＝１．０）で、平均演色評価数Ｒａは９０である。
また、橙色ＬＥＤ列５０の白色ＬＥＤ列４０に対する相対強度を任意に変化させることによって、図３の(9)に示すように広範囲に合成色を変化させることが可能である。この場合、相関色温度Ｔｃが７０１７≧Ｔｃ≧３１２０の範囲において、ｄｕｖは−５≦ｄｕｖ≦１０の範囲に収まる。また、相関色温度Ｔｃが３４６０≦Ｔｃ≦７０１７の範囲において、平均演色評価数Ｒａは８０以上となり、４１５０≦Ｔｃ≦７０１７の範囲において平均演色評価数Ｒａは９０以上となる。
【００５１】
（実施例１０）
実施例１０は、白色ＬＥＤ６（図９）として近紫外ＬＥＤチップによるものを用いた以外は、実施例４と同じ構成である。
図２６（ａ）は、白色ＬＥＤ列４０（図９）のみを点灯させたときの色度図上の位置等を示している。このときの白色光の相関色温度Ｔｃは７０１７Ｋ（色度偏差ｄｕｖ＝０．７）で、平均演色評価数Ｒａは９１である。
【００５２】
図２６（ｂ）は、白色ＬＥＤ列４０と橙色ＬＥＤ列５０を同時に点灯させた際の色度図上の位置等を示している。このときの白色光の相関色温度Ｔｃは４４００Ｋ（色度偏差ｄｕｖ＝−４．２）で、平均演色評価数Ｒａは９０である。
また、橙色ＬＥＤ列５０の白色ＬＥＤ列４０に対する相対強度を任意に変化させることによって、図３の(10)に示すように広範囲に合成色を変化させることが可能である。この場合、相関色温度Ｔｃが７０１７≧Ｔｃ≧２５５０の範囲において、ｄｕｖは−５≦ｄｕｖ≦１０の範囲に収まる。また、相関色温度Ｔｃが３５６０≦Ｔｃ≦７０１７の範囲において、平均演色評価数Ｒａは８０以上となり、４３９０≦Ｔｃ≦７０１７の範囲において平均演色評価数Ｒａは９０以上となる。
【００５３】
（実施例１１）
実施例１１は、白色ＬＥＤ６（図９）として近紫外ＬＥＤチップによるものを用いた以外は、実施例５と同じ構成である。
図２７（ａ）は、白色ＬＥＤ列４０（図９）のみを点灯させたときの色度図上の位置等を示している。このときの白色光の相関色温度Ｔｃは７１０７Ｋ（色度偏差ｄｕｖ＝３．９）で、平均演色評価数Ｒａは９３である。
【００５４】
図２７（ｂ）は、白色ＬＥＤ列４０と橙色ＬＥＤ列５０を同時に点灯させた際の色度図上の位置等を示している。このときの白色光の相関色温度Ｔｃは４６５０Ｋ（色度偏差ｄｕｖ＝−４．４）で、平均演色評価数Ｒａは８８である。
また、橙色ＬＥＤ列５０の白色ＬＥＤ列４０に対する相対強度を任意に変化させることによって、図３の(11)に示すように広範囲に合成色を変化させることが可能である。この場合、相関色温度Ｔｃ＝７１０７から低色温度側へ変化させた場合、相関色温度２６００Ｋにおいて、ｄｕｖ＝０．０であり、この色温度範囲であれば、ｄｕｖは−５≦ｄｕｖ≦１０の範囲に収まる。また、相関色温度Ｔｃが３７００≦Ｔｃ≦７１０７の範囲において、平均演色評価数Ｒａは８０以上となり、４９００≦Ｔｃ≦７１０７の範囲において平均演色評価数Ｒａは９０以上となる。
【００５５】
（実施例１２）
実施例１２は、白色ＬＥＤ６（図９）として近紫外ＬＥＤチップによるものを用いた以外は、実施例７と同じ構成である。
図２８（ａ）は、白色ＬＥＤ列４０（図９）のみを点灯させたときの色度図上の位置等を示している。このときの白色光の相関色温度Ｔｃは４０４３Ｋ（色度偏差ｄｕｖ＝−０．６）で、平均演色評価数Ｒａは９４である。
【００５６】
図２８（ｂ）は、白色ＬＥＤ列４０と橙色ＬＥＤ列５０を同時に点灯させた際の色度図上の位置等を示している。このときの白色光の相関色温度Ｔｃは２９１４Ｋ（色度偏差ｄｕｖ＝−４．６）で、平均演色評価数Ｒａは９０である。
また、橙色ＬＥＤ列５０の白色ＬＥＤ列４０に対する相対強度を任意に変化させることによって、図３の(12)に示すように広範囲に合成色を変化させることが可能である。この場合、相関色温度Ｔｃ＝４０４３から低色温度側へ変化させた場合、相関色温度２６００Ｋにおいて、ｄｕｖ＝−４．０であり、この色温度範囲であれば、ｄｕｖは−５≦ｄｕｖ≦１０の範囲に収まる。また、相関色温度Ｔｃが２４００≦Ｔｃ≦４０４３の範囲において、平均演色評価数Ｒａは８０以上となり、２９００≦Ｔｃ≦４０４３の範囲において平均演色評価数Ｒａは９０以上となる。
【００５７】
（実施例１３）
実施例１３は、白色ＬＥＤ６（図９）として近紫外ＬＥＤチップによるものを用いた以外は、実施例８と同じ構成である。
図２９（ａ）は、白色ＬＥＤ列４０（図９）のみを点灯させたときの色度図上の位置等を示している。このときの白色光の相関色温度Ｔｃは４２２７Ｋ（色度偏差ｄｕｖ＝３．６）で、平均演色評価数Ｒａは９５である。
【００５８】
図２９（ｂ）は、白色ＬＥＤ列４０と橙色ＬＥＤ列５０を同時に点灯させた際の色度図上の位置等を示している。このときの白色光の相関色温度Ｔｃは３２４２Ｋ（色度偏差ｄｕｖ＝−３．３）で、平均演色評価数Ｒａは９０である。
また、橙色ＬＥＤ列５０の白色ＬＥＤ列４０に対する相対強度を任意に変化させることによって、図３の(13)に示すように広範囲に合成色を変化させることが可能である。この場合、相関色温度Ｔｃ＝４２２７から低色温度側へ変化させた場合、相関色温度２６００Ｋにおいて、ｄｕｖ＝−４．０であり、この色温度範囲であれば、ｄｕｖは−５≦ｄｕｖ≦１０の範囲に収まる。また、相関色温度Ｔｃが２７００≦Ｔｃ≦４２２７の範囲において、平均演色評価数Ｒａは８０以上となり、３２７０≦Ｔｃ≦４２２７の範囲において平均演色評価数Ｒａは９０以上となる。
【００５９】
以上説明した実施の形態２によれば、上記した実施の形態１の効果に加え、比較的広い範囲に渡って高演色性を維持したままの調色が可能となる。このことを、図２、図３を参照しながら説明する。図２の(1)と図３の(2)は、実施の形態１での調色ラインを示していた。これによれば、各ラインの右端（すなわち、第１の光源のみの点灯）から、第２の光源の発光強度があまり強くなく、調色の度合いが少ないところでは、Ｒａは９０以上となるが、第２の光源の発光強度を増して調色が進むと（左向きに進行すると）、急激にＲａが低下することがわかる。これに対し、実施の形態２での調色ライン（図２の(3)〜(7)、図３の(9)〜(13)）から明らかなように、実施の形態１よりも広範囲でＲａが９０以上に維持されることとなる。これは、調色用光源である第２の光源を、主発光ピーク波長の異なる２種類の発光素子（橙色ＬＥＤ）で構成したことに起因するものと思われる。
【００６０】
なお、上記実施例では、２種類の発光素子（ＬＥＤ）で第２の光源を構成することとしたが、異なるピーク波長を有する３種類以上の発光素子（ＬＥＤ）で構成することとしても構わない。言うまでも無く、この場合でも、発光素子（ＬＥＤ）間は、電気的に直列または並列に接続し、一つの電力供給系統によって給電するようにする。
（実施の形態３）
実施の形態３は、実施の形態２の照明光源に、第３の光源を加えた構成としている。
【００６１】
図１に戻り、第３の光源は、色度図上の第３の点Ｐ３に対応する第３の光源色で発光する光源である。
第３の点Ｐ３の第１の点Ｐ１との関係における色度図上の位置関係は、上述した第２の点Ｐ２の第１の点との位置関係と同様である。すなわち、第３の点Ｐ３は、当該第３の点Ｐ３と第１の点Ｐ１を結ぶ線分が、第１の点Ｐを通る前記黒体軌跡ＰＬの法線に対応する接線とほぼ平行となる関係となるようなところに位置する。ここで、「線分が、…接線とほぼ平行となるような」の趣旨は、上述した第２の点Ｐ２の場合と同様である。また、第３の点Ｐ３は、第１の点Ｐ１を挟んで第２の点Ｐ２と相対する位置に存在する。
【００６２】
実施の形態３において、第１〜第３の光源の内、同時に点灯するのは、２つの光源のみである。すなわち、第１の光源と第２の光源を同時に点灯させるか、第１の光源と第３の光源を同時に点灯させかのどちらかである。もちろん、第１の光源のみを点灯させることとしても構わないのは、実施の形態１，２の場合と同様である。
第１の光源と第２の光源を同時に点灯させる場合は、実施の形態２と同様の結果となる。実施の形態３では、色度図上、第２の光源と相対する位置に存する第３の光源を第１の光源と同時に点灯させることにより、実施の形態２の照明光源よりも、より広範囲な調色を可能にするものである。
【００６３】
図３０（ａ）は実施の形態３に係る照明光源６２の概略構成を示す平面図であり、図３０（ｂ）は同正面図であり、図３０（ｃ）は、回路図である。図３０において、実施の形態２の照明光源３２と同様の構成のものには同じ符号を付して、その説明については省略する。
実施の形態３に係る照明光源６２は、実施の形態２に係る照明光源３２（図９）において９個ある白色ＬＥＤ６の個数を３個減らして６個とし、減らした分の３個を青色ＬＥＤ６４に充てることとした。
【００６４】
６個の白色ＬＥＤ６は直列に接続されて、白色ＬＥＤ列６６を構成し、３個の青色ＬＥＤ６４が直列に接続されて青色ＬＥＤ列６８が構成されている。実施の形態３では、第１の光源を白色ＬＥＤ列６６で構成し、第３の光源を青色ＬＥＤ列６８で構成することとした。なお、多層プリント配線板７０上、符号７２で示しているのは、青色ＬＥＤ列６８に対する給電端子である。
【００６５】
実施の形態３の具体例を実施例１４に基づいて説明する。
（実施例１４）
実施例１４で用いる白色ＬＥＤ６は、近紫外ＬＥＤチップによるものである。また、橙色ＬＥＤ列５０は、実施例７のものと同様である。
図３１に、青色ＬＥＤ６４の分光分布図を示す。当該青色ＬＥＤ６４は、本図に示すように、主発光ピーク波長が４７５ｎｍであるものが用いられる。
【００６６】
図３２（ａ）は、白色ＬＥＤ列６６（図３０）のみを点灯させたときの分光分布図であり、図３２（ｂ）は、色度図上の位置等を示している。このときの白色光の相関色温度Ｔｃは４０４３Ｋ（色度偏差ｄｕｖ＝−０．６）で、平均演色評価数Ｒａは９４である。なお、仮に青色ＬＥＤ列６８のみを点灯したとした際の色度図上における位置を黒塗りの四角「■」で示している。
【００６７】
図３３（ａ）は、白色ＬＥＤ列６６と橙色ＬＥＤ列５０を同時に点灯させた際の分光分布図であり、図３３（ｂ）は、色度図上の位置等を示している。このときの白色光の相関色温度Ｔｃは２５６６Ｋ（色度偏差ｄｕｖ＝−２．７）で、平均演色評価数Ｒａは９４である。
図３４（ａ）は、白色ＬＥＤ列６６と青色ＬＥＤ列６８を同時に点灯させた際の分光分布図であり、図３４（ｂ）は、色度図上の位置（□）等を示している。このときの白色光の相関色温度Ｔｃは７１９３Ｋ（色度偏差ｄｕｖ＝−４．３）で、平均演色評価数Ｒａは６８である。
【００６８】
また、橙色ＬＥＤ列５０または青色ＬＥＤ列６８の白色ＬＥＤ列６６に対する相対強度を任意に変化させることによって、図３の(14)に示すように広範囲に合成色を変化させることが可能である。この場合、相関色温度Ｔｃが７１００≧Ｔｃ≧２６００の範囲において、ｄｕｖは−５≦ｄｕｖ≦１０の範囲に収まる。因みに、Ｔｃ＝７１００のときはｄｕｖ＝−４．３であり、Ｔｃ＝２６００のときはｄｕｖ＝−２．９である。また、相関色温度Ｔｃが２５００≦Ｔｃ≦５３７０の範囲において、平均演色評価数Ｒａは８０以上となり、２５００≦Ｔｃ≦４３８０の範囲において平均演色評価数Ｒａは９０以上となる。
【００６９】
以上説明した実施の形態３によれば、上記した実施の形態１、２よりも、一つの照明光源で、より広範囲に渡って光源色を変化（調色）させることが可能となる。このことを図２、図３を参照しながら説明する。図３の(14)で示すのが、実施の形態３における調色ラインである。図３および図２から明らかなように、図３の(14)で示すラインは、実施の形態１、２の他のラインよりも相関色温度を示す横軸方向、長い区間に渡って調色が可能である。また、この調色において、同時に点灯するのは、二つの光源のみであるので、従来のＲ，Ｇ、Ｂの各ＬＥＤの給電電力（３系統の給電電力）を制御しなければならないものと比較して、簡易な制御となることに変わりは無い。
【００７０】
以上、本発明を実施の形態に基づいて説明してきたが、本発明は、上記した形態のものに限らないことは言うまでも無く、例えば、以下の形態とすることも可能である。
（１）第１〜第３の各光源を構成するＬＥＤの種類と個数は、上記したものに限らず他の種類のＬＥＤとすることができ、また、個数も任意に選択可能である。
（２）第１の光源を構成する白色ＬＥＤに用いる蛍光体は、上記したものに限らない。
【００７１】
（３）上記実施の形態では、照明光源を複数個の砲弾型ＬＥＤで構成したが、これに限らず、いわゆるチップオンボードタイプとして構成しても構わない。すなわち、回路基板上に直接ＬＥＤチップを密接に配列して（搭載して）照明光源を構成するのである。
（４）上記実施の形態では、第１の光源に対する給電電力（電流値）は一定とし、第２の光源または第３の光源に対する給電電力（電流値）を変化させて、調色させることとしたが、第１の光源に対する給電電力も同時に変化させることとしても構わない。こうすることにより、調光（輝度制御）の幅も広げることが可能となる。
【００７２】
この場合に、第２の光源または第３の光源の輝度の増減に応じて、第１の光源の輝度を増減させ、照明光源全体としての輝度を一定に保持することとしても構わない。すなわち、照明光源の輝度を一定に保持したまま、光源色を変化させることとしても構わない。
【産業上の利用可能性】
【００７３】
簡易な制御で光源色を自然光に近い状態のまま変化させ得る光源を必要とする照明分野で好適に利用可能である。
【図面の簡単な説明】
【００７４】
【図１】本発明の基本的な考えを説明するための図である。
【図２】各実施例における相関色温度と平均演色評価数との関係を示すグラフである。
【図３】各実施例における相関色温度と平均演色評価数との関係を示すグラフである。
【図４】（ａ）は実施の形態１に係る照明光源の平面図、（ｂ）は同正面図、（ｃ）は同回路図である。
【図５】実施例１に係る照明光源を構成する各種発光体の分光分布図である。
【図６】実施例１に係る照明光源の色度図等である。
【図７】実施例２に係る照明光源を構成する各種発光体の分光分布図である。
【図８】実施例２に係る照明光源の色度図等である。
【図９】（ａ）は実施の形態２に係る照明光源の平面図、（ｂ）は同正面図、（ｃ），（ｄ）は同回路図である。
【図１０】実施例３に係る照明光源を構成する橙色ＬＥＤ列の分光分布図である。
【図１１】（ａ）は実施例３に係る照明光源において白色ＬＥＤ列のみを点灯させた際の分光分布図であり、（ｂ）は同色度図等である。
【図１２】（ａ）は実施例３に係る照明光源において白色ＬＥＤ列と橙色ＬＥＤ列を同時に点灯させた際の分光分布図であり、（ｂ）は同色度図等である。
【図１３】実施例４に係る照明光源を構成する橙色ＬＥＤ列の分光分布図である。
【図１４】実施例４に係る照明光源の色度図等である。
【図１５】実施例５に係る照明光源を構成する橙色ＬＥＤ列の分光分布図である。
【図１６】実施例５に係る照明光源の色度図等である。
【図１７】実施例６に係る照明光源を構成する橙色ＬＥＤ列の分光分布図である。
【図１８】（ａ）は実施例６に係る照明光源において白色ＬＥＤ列のみを点灯させた際の分光分布図であり、（ｂ）は同色度図等である。
【図１９】（ａ）は実施例６に係る照明光源において白色ＬＥＤ列と橙色ＬＥＤ列を同時に点灯させた際の分光分布図であり、（ｂ）は同色度図等である。
【図２０】実施例７に係る照明光源を構成する橙色ＬＥＤ列の分光分布図である。
【図２１】実施例７に係る照明光源の色度図等である。
【図２２】実施例８に係る照明光源を構成する橙色ＬＥＤ列の分光分布図である。
【図２３】実施例８に係る照明光源の色度図等である。
【図２４】（ａ）は実施例９に係る照明光源において白色ＬＥＤ列のみを点灯させた際の分光分布図であり、（ｂ）は同色度図等である。
【図２５】（ａ）は実施例９に係る照明光源において白色ＬＥＤ列と橙色ＬＥＤ列を同時に点灯させた際の分光分布図であり、（ｂ）は同色度図等である。
【図２６】実施例１０に係る照明光源の色度図等である。
【図２７】実施例１１に係る照明光源の色度図等である。
【図２８】実施例１２に係る照明光源の色度図等である。
【図２９】実施例１３に係る照明光源の色度図等である。
【図３０】（ａ）は実施の形態３に係る照明光源の平面図、（ｂ）は同正面図、（ｃ）は同回路図である。
【図３１】実施例１４に係る照明光源を構成する青色ＬＥＤの分光分布図である。
【図３２】（ａ）は実施例１４に係る照明光源において白色ＬＥＤ列のみを点灯させた際の分光分布図であり、（ｂ）は同色度図等である。
【図３３】（ａ）は実施例１４に係る照明光源において白色ＬＥＤ列と橙色ＬＥＤ列を同時に点灯させた際の分光分布図であり、（ｂ）は同色度図等である。
【図３４】（ａ）は実施例１４に係る照明光源において白色ＬＥＤ列と青色ＬＥＤ列を同時に点灯させた際の分光分布図であり、（ｂ）は同色度図等である。
【符号の説明】
【００７５】
２、３２、６２    照明光源
１０、４０．６６    白色ＬＥＤ列
１２、５０    橙色ＬＥＤ列
６８    青色ＬＥＤ列
【図１】
2008505433.tif 000003
【図２】
2008505433.tif 000004
【図３】
2008505433.tif 000005
【図４】
2008505433.tif 000006
【図５】
2008505433.tif 000007
【図６】
2008505433.tif 000008
【図７】
2008505433.tif 000009
【図８】
2008505433.tif 000010
【図９】
2008505433.tif 000011
【図１０】
2008505433.tif 000012
【図１１】
2008505433.tif 000013
【図１２】
2008505433.tif 000014
【図１３】
2008505433.tif 000015
【図１４】
2008505433.tif 000016
【図１５】
2008505433.tif 000017
【図１６】
2008505433.tif 000018
【図１７】
2008505433.tif 000019
【図１８】
2008505433.tif 000020
【図１９】
2008505433.tif 000021
【図２０】
2008505433.tif 000022
【図２１】
2008505433.tif 000023
【図２２】
2008505433.tif 000024
【図２３】
2008505433.tif 000025
【図２４】
2008505433.tif 000026
【図２５】
2008505433.tif 000027
【図２６】
2008505433.tif 000028
【図２７】
2008505433.tif 000029
【図２８】
2008505433.tif 000030
【図２９】
2008505433.tif 000031
【図３０】
2008505433.tif 000032
【図３１】
2008505433.tif 000033
【図３２】
2008505433.tif 000034
【図３３】
2008505433.tif 000035
【図３４】
2008505433.tif 000036
【国際調査報告】
2008505433.tif 000037
2008505433.tif 000038
2008505433.tif 000039